(57)【要約】【課題】  通話中に着信があった着信相手に通話終了後にかけ直すことを報知するＩＰ電話機を提供することである。【解決手段】  ＩＰ電話機１２〜１５は、インスタントメッセージ機能を有し、該インスタントメッセージや電話番号を表示する表示部１２ａ〜１５ａと、各種操作キーからなる操作部１２ｂ〜１５ｂとを備え、通話中に着信があった場合、発信元にビジーを返すとともに、表示部１２ａ〜１５ａに発信元の電話番号又は名称を表示し、操作部１２ｂ〜１５ｂが操作され発信元への発信予約があると、発信元に所定のインスタントメッセージを送信し、通話中の呼の終了後に発信元へ自動発信する構成とする。【選択図】        図１
2005269165.tif 000002
【特許請求の範囲】
【請求項１】
インスタントメッセージ機能を有し、該インスタントメッセージや電話番号を表示する表示部と、各種操作キーからなる操作部とを備えたＩＰ電話機において、
通話中に着信があった場合、
発信元にビジーを返すとともに、前記表示部に発信元の電話番号又は名称を表示し、
前記操作部が操作され発信元への発信予約があると、発信元に所定のインスタントメッセージを送信することを特徴とするＩＰ電話機。
【請求項２】
前記所定のインスタントメッセージは、登録された複数の中から選択されたメッセージであることを特徴とする請求項１記載のＩＰ電話機。
【請求項３】
前記所定のインスタントメッセージの送信後であって、通話中に、再度インスタントメッセージを送信することを特徴とする請求項１又は２記載のＩＰ電話機。
【請求項４】
通話中の呼の終了後に前記発信元へ自動発信することを特徴とする請求項１〜３の何れかに記載のＩＰ電話機。
【発明の詳細な説明】
【技術分野】
【０００１】
本発明は、インスタントメッセージ機能を有したＩＰ電話機に関するものである。
【背景技術】
【０００２】
従来より、通話中に第３者から着信があった場合にその呼の発信相手の電話番号を記憶し、通話終了後に、通話中にあった着信呼の発信相手に呼び返しを行う技術がある。
【０００３】
例えば特許文献１には、通話中に第３者からの着信があったことを加入者が通話を終えて空きになったときに即座に知らせることができ、また、その第３者に対して簡単な操作で呼び返しを行うことができる電話機端末が開示されている。
【０００４】
また特許文献２には、音声通話中に別の音声着信または異種端末からの着信を受けた場合に、記憶手段により発番号が記憶され、着信拒否手段により着信を拒否して音声通話を継続し、音声通話終了後に、選択キーを操作されることにより記憶手段から発番号を選択し、自動発信する手段により発番号を自動発信するディジタル電話機が開示されている。
【０００５】
ところで現在、ＶｏＩＰ（Voice over Internet Protocol）システム、所謂ＩＰ電話が普及しつつある。このＩＰ電話では音声信号をデジタル信号に変換し、パケットにして通信している。このＩＰ電話では通話中に他の着信があると発信元にＢＵＳＹを返して発信元ではビジートーンが鳴る。
【特許文献１】特開平１０−１６４１９１号公報
【特許文献２】特開平１−２９３７５０号公報
【発明の開示】
【発明が解決しようとする課題】
【０００６】
しかしながら、特許文献１や特許文献２では通話中に着信を受けた時点では着信相手にビジートーンが返るだけであり、通話終了後にかけ直すことは報知されない。従って、着信相手はどれくらいで通話が終了するのかわからないため、頻繁にリダイヤルする可能性がある。
【０００７】
また特許文献１や特許文献２をＶｏＩＰシステムに応用しても上記と同様の動作になり、通話中に着信を受けた時点では着信相手にビジートーン以外は何も報知されない。
【０００８】
そこで本発明は、通話中に着信があった着信相手に通話終了後にかけ直すことを報知するＩＰ電話機を提供することを目的とする。
【課題を解決するための手段】
【０００９】
上記目的を達成するために本発明は、インスタントメッセージ機能を有し、該インスタントメッセージや電話番号を表示する表示部と、各種操作キーからなる操作部とを備えたＩＰ電話機において、通話中に着信があった場合、発信元にビジーを返すとともに、前記表示部に発信元の電話番号又は名称を表示し、前記操作部が操作され発信元への発信予約があると、発信元に所定のインスタントメッセージを送信することを特徴とするものである。
【００１０】
なお、前記所定のインスタントメッセージは、登録された複数の中から選択されたメッセージとすることができる。
【００１１】
また、前記所定のインスタントメッセージの送信後であって、通話中に、再度インスタントメッセージを送信することもできる。使用者が適時送信を指示したり、経時で自動的に送信したりするようにすればよい。
【００１２】
そして、ＩＰ電話機は通話中の呼が終了した時点ですぐに前記発信元へ自動発信するものとする。
【発明の効果】
【００１３】
本発明によれば、通話中に着信があると、発信元に通話終了後にすぐにかけ直すことをインスタントメッセージを使って報知することにより、発信元の相手は話し中に頻繁にリダイヤルする必要がなく待っていればよい。
【００１４】
また、複数のインスタントメッセージの中から所望のメッセージを選択できるようにすることにより、発信元の相手にどれくらい後でかけ直すかを知らせることができる。
【００１５】
また、インスタントメッセージの送信後に再度違う内容のインスタントメッセージを送信できるようにすることにより、通話が長引いている場合でも発信元の相手にあとどれくらいでかけ直すかを知らせることができる。
【００１６】
また、通話終了後に発信元へ自動発信することにより、かけ忘れをなくすことができる。
【発明を実施するための最良の形態】
【００１７】
以下、呼制御プロトコルとしてＳＩＰ（session initiation protocol）を例に説明する。図１は、ＶｏＩＰシステムの構成を示すブロック図である。ＶｏＩＰシステム１０は、ＬＡＮ１１と、ＬＡＮ１１に接続されるＩＰ電話機１２〜１５と、ＬＡＮ１１に接続されるゲートウェイ（以下、ＧＷと記す）１６と、ＬＡＮ１１に接続されるＳＩＰサーバ１７とから構成される。また、ＧＷ１６は公衆電話交換網（以下、ＰＳＴＮと記す）１８と繋がっている。また、ＬＡＮ１１はＶＰＮ（Virtual Private Network）やインターネット等のネットワーク１９と繋がっている。
【００１８】
ＩＰ電話機１２〜１５は、それぞれインスタントメッセージ機能を有し、インスタントメッセージや電話番号を表示する表示部１２ａ〜１５ａと、各種操作キーからなる操作部１２ｂ〜１５ｂとを備えている。そして、固有の電話番号とＩＰアドレスを有し、ＧＷ１６及びＳＩＰサーバ１７のＩＰアドレスを記憶している。
【００１９】
ＧＷ１６は、ＰＳＴＮ１８の局交換機（不図示）と接続するためのものであり、呼制御機能や音声符号化機能を備えている。ＩＰ電話機１２〜１５の何れかとＰＳＴＮ１８に接続される固定電話機（不図示）とが通話する際には、ＳＩＰサーバ１７、ＧＷ１６、ＰＳＴＮ１８を介して呼制御される。
【００２０】
ＳＩＰサーバ１７は、電話番号とＩＰアドレスの対応付けである番号翻訳を行い、着信時には電話番号から対応するＩＰアドレスを有するＩＰ電話機を特定して着信通知を行う。ＩＰ電話機１２〜１５の何れか同士で通話する場合やネットワーク１９を介して接続される場合には、ＧＷ１６は経由せずＳＩＰサーバ１７のみを経由する。
【００２１】
図２は、ＶｏＩＰシステムの動作を示すシーケンス図である。なお、各ＩＰ電話間のメッセージのやりとりは実際はＳＩＰサーバ１７を経由して行われるが、本実施形態では説明の簡略化のためＳＩＰサーバ１７の動作は省略する。ここでは、ＩＰ電話機１２からＩＰ電話機１３に電話し、通話中にＩＰ電話機１４からＩＰ電話機１３に着信があった場合を例に説明する。
【００２２】
ＩＰ電話機１２からＩＰ電話機１３へ発信（ＩＮＶＩＴＥ）があると、ＩＰ電話機１３はＩＰ電話機１２へ１００  Ｔｒｙｉｎｇ、１８０  Ｒｉｎｇｉｎｇ、２００  ＯＫを返して応答する。そして、ＩＰ電話機１２がＡＣＫを送信することにより通話が開始される。
【００２３】
そして、ＩＰ電話機１２とＩＰ電話機１３の通話中に、ＩＰ電話機１４がＩＰ電話機１３に発信（ＩＮＶＩＴＥ）すると、ＩＰ電話機１３はＩＰ電話機１４へ１００  Ｔｒｙｉｎｇ、４８６  Ｂｕｓｙ  Ｈｅｒｅを返して通話中であることを知らせるとともに、自機の表示部１３ａにＩＰ電話機１４の電話番号又は電話番号に対応して登録されている名称を表示する。これによって、ＩＰ電話機１４はＩＰ電話機１３へＡＣＫを送信するとともに、自機のスピーカ（不図示）からビジートーンを鳴らして話し中であることを知らせる。またＩＰ電話機１３の使用者はＩＰ電話機１４から着信があったことをリアルタイムで知ることができる。
【００２４】
この時点でＩＰ電話機１３の使用者は、操作部１３ｂの発信予約キー（不図示）を押下することにより発信元（ＩＰ電話機１４）への発信予約ができる。発信予約とは、現在通話中の呼が終了した時点で着信があった発信元に自動的に発呼する機能である。もし、折り返し発信する必要のない相手であれば発信予約する必要はない。
【００２５】
発信予約されたＩＰ電話機１３は、ＩＰ電話機１４へ能力を問い合わせるためのＯＰＴＩＯＮＳを送信する。能力とは、どんなメソッドをサポートしているかということである。これに応答してＩＰ電話機１４はＩＰ電話機１３に自機が有する能力を回答する。具体的にはＡｌｌｏｗヘッダにサポートするメソッドのリストを記述した２００  ＯＫを返す。
【００２６】
ＡｌｌｏｗヘッダにＭＥＳＳＡＧＥの記述があった場合、ＩＰ電話機１３はＭＥＳＳＡＧＥメソッドを使って所定のインスタントメッセージをＩＰ電話機１４へ送信する。所定のインスタントメッセージは、例えば「すぐにかけ直しますのでお待ち下さい」等、かけ直すことを伝える内容とすることができる。なお、登録された複数のメッセージ中から使用者が選択できるようにしてもよい。この場合は、発信予約キーを押下した後に所望のメッセージキー（不図示）を押下するようにすればよい。複数のメッセージとしては、上記の他に、「５分程後にかけ直します」や「１０分程後にかけ直します」等とすることができる。
【００２７】
また、上記の発信予約した際のインスタントメッセージの送信後であって、通話中に、再度インスタントメッセージを送信することもできる。例えば、発信予約時に「すぐにかけ直します」というインスタントメッセージを送信した場合であって、ＩＰ電話機１２との通話が長引いている場合に、「もう少しお待ち下さい」等のインスタントメッセージを送信する。これは、ＩＰ電話機１３の使用者が適時所望のメッセージキーを押下することで発信予約している発信元へインスタントメッセージを送信するようにＩＰ電話機１３を設定しておけばよい。またＩＰ電話機１３が発信予約があった時点からの通話時間を計測し、所定時間経過後（例えば５分後）にまだ通話中である場合に自動で「もう少しお待ち下さい」等のインスタントメッセージを送信するようにしてもよい。
【００２８】
そして、ＩＰ電話機１２からＩＰ電話機１３へ切断を要求するＢＹＥが送信され、ＩＰ電話機１３からＩＰ電話機１２へ２００  ＯＫが返されると、ＩＰ電話機１２とＩＰ電話機１３の通話が切断される。この時点で発信予約がされていると、ＩＰ電話機１３は発信予約されている発信元（ＩＰ電話機１４）へ自動発信する。自動発信の場合も接続手順は同じであり、ＩＰ電話機１３からＩＰ電話機１４へ発信（ＩＮＶＩＴＥ）があると、ＩＰ電話機１４はＩＰ電話機１３へ１００  Ｔｒｙｉｎｇ、１８０  Ｒｉｎｇｉｎｇ、２００  ＯＫを返して応答する。そして、ＩＰ電話機１３がＡＣＫを送信することにより通話が開始される。
【００２９】
このように、通話中に着信があった着信相手に通話終了後にすぐにかけ直すことをインスタントメッセージを使って報知することにより、着信相手は話し中に頻繁にリダイヤルする必要がなく待っていればよい。
【産業上の利用可能性】
【００３０】
本発明のＩＰ電話機には、Ｈ．３２３、ＳＩＰ、ＭＥＧＡＣＯ等の呼制御プロトコルを用いることができる。
【図面の簡単な説明】
【００３１】
【図１】ＶｏＩＰシステムの構成を示すブロック図である。
【図２】ＶｏＩＰシステムの動作を示すシーケンス図である。
【符号の説明】
【００３２】
１０    ＶｏＩＰシステム
１１    ＬＡＮ
１２〜１５    ＩＰ電話機
１２ａ〜１５ａ    表示部
１１ｂ〜１５ｂ    操作部
１６    ゲートウェイ
１７    ＳＩＰサーバ
１８    公衆電話交換網
１９    ネットワーク
【図１】
2005269165.tif 000003
【図２】
2005269165.tif 000004